(57)【要約】【課題】セカンドバルブとファーストバルブとの間の空間内のエア抜きを容易に行え、使用中に液体の漏洩を防止できるトリガー式スプレイヤーを提供する。【解決手段】本発明は、液体が流通可能な第１流路１１ａと第１流路１１ａに連通する第２流路１１ｄと第２流路１１ｄに連通する円筒状のシリンダ室１１ｂとを有するボディ１１と、シリンダ室１１ｂ内にスライド可能に組み込まれ、セカンドバルブ１４の弁座１３ｂと中空部１３ｄを有し、トリガー１２の操作により前後にスライドする中空状ピストン１３と、中空状ピストン１３の中空部１３ｄ内に組み込まれ、下流側に位置するセカンドバルブ１４と、シリンダ室１１ｂ内に組み込まれ、上流側に位置するファーストバルブ１５と、を備え、セカンドバルブ１４でファーストバルブ１５が押圧されることによりファーストバルブ１５が開くトリガー式スプレイヤー１０である。【選択図】図２
2014128779.tif 000002
【特許請求の範囲】
【請求項１】
液体が流通可能な第１流路と該第１流路に連通する第２流路と該第２流路に連通する円筒状のシリンダ室とを有するボディと、
前記シリンダ室内にスライド可能に組み込まれ、セカンドバルブの弁座と中空部を有し、トリガーの操作により前後にスライドする中空状ピストンと、
該中空状ピストンの前記中空部内に組み込まれ、下流側に位置するセカンドバルブと、
前記シリンダ室内に組み込まれ、上流側に位置するファーストバルブと
を備え、前記セカンドバルブで前記ファーストバルブが押圧されることにより前記ファーストバルブが開くことを特徴とするトリガー式スプレイヤー。
【請求項２】
前記セカンドバルブは、蓄圧機能を有し、弁体とばねとそれらを収納し、前記中空部内に取り付けられた有底筒ケースとを備え、
前記ファーストバルブは、下流側が開口し上流側が前記シリンダ室内に取り付けられた筒ケースと、該筒ケースの上流側に位置する弁体とを備え、
前記有底筒ケースは、前記筒ケース内にスライド可能に組み込まれ、前記トリガーの操作により前記中空状ピストンとともに前後にスライドし、
前記有底筒ケースの底部で前記ファーストバルブの前記弁体が押圧されて傾くことにより前記ファーストバルブが開くことを特徴とする請求項１記載のトリガー式スプレイヤー。
【請求項３】
前記ファーストバルブの前記弁体の下流側の面に傾斜面が形成されていることを特徴とする請求項２記載のトリガー式スプレイヤー。
【請求項４】
前記セカンドバルブの前記有底筒ケースの底部の上流側の面に傾斜面が形成されていることを特徴とする請求項２記載のトリガー式スプレイヤー。
【請求項５】
前記セカンドバルブの前記有底筒ケースの底部の上流側の面に突起が形成されていることを特徴とする請求項２記載のトリガー式スプレイヤー。
【請求項６】
前記セカンドバルブの前記有底筒ケースの底部の上流側の面にカム部が形成され、前記ファーストバルブの前記弁体の側部に、下流側に向けてカム部を備えたレバーを取り付けたことを特徴とする請求項２記載のトリガー式スプレイヤー。
【請求項７】
前記セカンドバルブは、蓄圧機能を有しない直圧式であることを特徴とする請求項１記載のトリガー式スプレイヤー。
【発明の詳細な説明】
【技術分野】
【０００１】
本発明は、トリガー式スプレイヤーに関し、詳しくは、セカンドバルブとファーストバルブとの間の空間内のエア抜きを容易に行えるトリガー式スプレイヤーに関する。
【背景技術】
【０００２】
従来、トリガー式スプレイヤーの例として、例えば、特許文献１に開示のものが提案されている。
この特許文献１に開示のものは、初期作動時における空打ち回数の低減等が図られてポンプ内のエア抜きを容易に行え、使用中の液噴出操作も円滑にかつ均一な噴出が可能なトリガー式液体噴出器に関するものであり、その概略は、以下のような構造である。
【０００３】
すなわち、本体Ｂ内部に備えた液流路の中途にシリンダ１３を連通させるとともに、シリンダ１３内を摺動するプランジャＨの押し込み操作を行うトリガーＩを備え、トリガーＩの操作により容器体内の液を液流路終端のノズルＪより噴出する如く構成したトリガー式液体噴出器に於いて、液流路の一部を構成し、先端に前記ノズルＪを嵌着した射出筒１２内に、常時上流側へ付勢された吐出弁体Ｇを吐出弁座４０に圧接させて上流位置の吸込み弁２３との間に閉塞領域を画成する蓄圧式の吐出弁５３を備え、吐出弁座４０及び吐出弁体Ｇの少なくとも一方にその上下流を連通させるエア逃がし溝４１を設けたトリガー式液体噴出器である。
【先行技術文献】
【特許文献】
【０００４】
【特許文献１】特許第４９４７５９１号公報
【発明の概要】
【発明が解決しようとする課題】
【０００５】
しかしながら、上述した特許文献１に開示されたトリガー式液体噴出器においては、吐出弁座４０（本発明のセカンドバルブ１４の弁座１３ｂに対応する）及び吐出弁体Ｇ（本発明のセカンドバルブ１４の弁体１４ｃに対応する）の少なくとも一方にその上下流を連通させるエア逃がし溝４１を設けたものであるので、使用時に、エア逃がし溝４１が微小であっても、エア逃がし溝４１を通じて液体が漏れる可能性があるという問題がある。
また、上述した特許文献１に開示されたトリガー式液体噴出器も含めて、従来、バルブの開閉は弁体を軸方向に移動させることにより行うものが一般的である。
【０００６】
本発明は、上記事情に鑑みてなされたものであり、セカンドバルブとファーストバルブとの間の空間内のエア抜きを容易に行え、使用中に液体の漏洩を防止できるトリガー式スプレイヤーを提供することを目的とする。
【課題を解決するための手段】
【０００７】
本発明者らは、上記課題を解決するため鋭意検討したところ、意外にも、ファーストバルブの弁体を傾けてファーストバルブを開くことにより、上記課題を解決し得ることを見出し、本発明を完成するに到った。
【０００８】
本発明は、（１）、液体が流通可能な第１流路と該第１流路に連通する第２流路と該第２流路に連通する円筒状のシリンダ室とを有するボディと、前記シリンダ室内にスライド可能に組み込まれ、セカンドバルブの弁座と中空部を有し、トリガーの操作により前後にスライドする中空状ピストンと、該中空状ピストンの前記中空部内に組み込まれ、下流側に位置するセカンドバルブと、前記シリンダ室内に組み込まれ、上流側に位置するファーストバルブとを備え、前記セカンドバルブで前記ファーストバルブが押圧されることにより前記ファーストバルブが開くトリガー式スプレイヤーに存する。
【０００９】
本発明は、（２）、前記セカンドバルブは、蓄圧機能を有し、弁体とばねとそれらを収納し、前記中空部内に取り付けられた有底筒ケースとを備え、前記ファーストバルブは、下流側が開口し上流側が前記シリンダ室内に取り付けられた筒ケースと、該筒ケースの上流側に位置する弁体とを備え、前記有底筒ケースは、前記筒ケース内にスライド可能に組み込まれ、前記トリガーの操作により前記中空状ピストンとともに前後にスライドし、前記有底筒ケースの底部で前記ファーストバルブの前記弁体が押圧されて傾くことにより前記ファーストバルブが開く上記（１）に記載のトリガー式スプレイヤーに存する。
【００１０】
本発明は、（３）、前記ファーストバルブの前記弁体の下流側の面に傾斜面が形成されている上記（２）に記載のトリガー式スプレイヤーに存する。
【００１１】
本発明は、（４）、前記セカンドバルブの前記有底筒ケースの底部の上流側の面に傾斜面が形成されている上記（２）に記載のトリガー式スプレイヤーに存する。
【００１２】
本発明は、（５）、前記セカンドバルブの前記有底筒ケースの底部の上流側の面に突起が形成されている上記（２）に記載のトリガー式スプレイヤーに存する。
【００１３】
本発明は、（６）、前記セカンドバルブの前記有底筒ケースの底部の上流側の面にカム部が形成され、前記ファーストバルブの前記弁体の側部に、下流側に向けてカム部を備えたレバーを取り付けた上記（２）に記載のトリガー式スプレイヤーに存する。
【００１４】
本発明は、（７）、前記セカンドバルブは、蓄圧機能を有しない直圧式である上記（１）に記載のトリガー式スプレイヤーに存する。
【００１５】
尚、本発明の目的に沿ったものであれば、上記（１）から（７）を適宜組み合わせた構成も採用可能である。
【発明の効果】
【００１６】
本発明のトリガー式スプレイヤーによれば、以下のような効果を有する。
【００１７】
液体が流通可能な第１流路と該第１流路に連通する第２流路と該第２流路に連通する円筒状のシリンダ室とを有するボディと、前記シリンダ室内にスライド可能に組み込まれセカンドバルブの弁座と中空部を有しトリガーの操作により前後にスライドする中空状ピストンと、該中空状ピストン内に組み込まれ下流側に位置するセカンドバルブと、前記シリンダ室内に組み込まれ上流側に位置するファーストバルブとを備え、前記セカンドバルブで前記ファーストバルブが押圧されることにより前記ファーストバルブが開くトリガー式スプレイヤーであるので、前記トリガーを最後まで引くと、前記セカンドバルブの有底筒ケースが前記中空状ピストンとともに上流側にスライドし、前記有底筒ケースの底部で前記ファーストバルブの弁体が押圧されて傾くことにより前記ファーストバルブが開く。
【００１８】
したがって、前記セカンドバルブと前記ファーストバルブとの間の空間内のエアが、前記ファーストバルブを通過し、前記第２流路と前記第１流路とを経由して図示しない容器内に排出される。
【００１９】
また、前記セカンドバルブと前記ファーストバルブとの間の空間内のエアの排出時、すなわちエア抜き時には、前記セカンドバルブは閉じているので、液体がノズルから漏れることはない。
したがって、数回の前記トリガーを引く動作（すなわち数回の空打ち）で、前記セカンドバルブと前記ファーストバルブとの間の空間内の全てのエア抜きを効率よく行うことができる。
【図面の簡単な説明】
【００２０】
【図１】図１は、本発明の実施形態に係るトリガー式スプレイヤーのトリガーを引く前の要部の断面図である。
【図２】図２は、本発明の実施形態に係るトリガー式スプレイヤーのトリガーを最後まで引いた後の要部の断面図である。
【図３】図３は、本発明の実施形態に係るトリガー式スプレイヤーの要部の分解図である。
【図４】図４は、図３に示すボディの断面図である。
【図５】図５は、図３に示す中空状ピストンを示すもので、図５（Ａ）は中空状ピストンの正面図、図５（Ｂ）は左側面図、図５（Ｃ）は右側面図である。
【図６】図６は、図３に示すファーストバルブの筒ケースを示すもので、図６（Ａ）は筒ケースの正面図、図６（Ｂ）は左側面図、図６（Ｃ）は右側面図、図６（Ｄ）は軸方向断面図である。
【図７】図７は、図１に示すファーストバルブの要部を拡大して示すもので、図７（Ａ）は弁体を含む要部の拡大断面図、図７（Ｂ）は左側面図である。
【図８】図８は、本発明の実施形態に係るトリガー式スプレイヤーにおけるファーストバルブの開閉状態を示すもので、図８（Ａ）は図１の円Ｘ内の拡大図で、トリガーを引く前の状態を示し、図８（Ｂ）は図２の円Ｙ内の拡大図で、トリガーを最後まで引いた後の状態を示す。
【図９】図９は、本発明の実施形態に係るトリガー式スプレイヤーの変形例１の作動を模式的に示すもので、図９（Ａ）はトリガーを引く前の状態を示し、図９（Ｂ）はトリガーを最後まで引いた後の状態を示す。
【図１０】図１０は、本発明の実施形態に係るトリガー式スプレイヤーの変形例２の作動を模式的に示すもので、図１０（Ａ）はトリガーを引く前の状態を示し、図１０（Ｂ）はトリガーを最後まで引いた後の状態を示す。
【図１１】図１１は、本発明の実施形態に係るトリガー式スプレイヤーの変形例３の作動を模式的に示すもので、図１１（Ａ）はトリガーを引く前の状態を示し、図１１（Ｂ）はトリガーを最後まで引いた後の状態を示す。
【図１２】図１２は、本発明のファーストバルブの弁体を傾ける手段を直圧式トリガー式スプレイヤーに適用した変形例４の作動を模式的に示すもので、図１２（Ａ）はトリガーを引く前の状態を示し、図１２（Ｂ）はトリガーを最後まで引いた後の状態を示す。
【発明を実施するための形態】
【００２１】
本発明の実施形態に係るトリガー式スプレイヤー１０について、以下に図面を参照して説明する。
【００２２】
図１、図２は、図３（要部の分解図）に示す各部品を組み立てたトリガー式スプレイヤー１０の要部の断面図で、図１はトリガー１２を引く前の断面図で、図２はトリガー１２を最後まで引いた後の断面図であるが、図１、図２はともにキャップ１８が取り付けられる容器を省略して示している。
すなわち、液体を収容する容器は図示していない。
【００２３】
トリガー式スプレイヤー１０は、ノズルカバー１６ａを有するノズル１６と、中空状ピストン１３と、セカンドバルブ１４を構成する有底筒ケース１４ａ及びセカンドバルブの弁体１４ｃ及び弁体を付勢するばね１４ｄと、ファーストバルブ１５を構成する筒ケース１５ａと、ボディ１１と、ボディ１１のカバー１７と、キャップ１８、吸込み管１９と、を有している。
【００２４】
キャップ１８は、図１、図２に示すように、その上部がボディ１１の下部に機密的に取り付けられ、また、このキャップ１８は、図示しない液体を収容する容器にねじ込み等により取り付けられる。
【００２５】
ボディ１１は、図４に示すように、縦方向の第１流路部１１ａと、シリンダ室１１ｂと、ファーストバルブの弁座１１ｃと、横方向の第２流路部１１ｄと、副シリンダ室１１ｅと、空気流通路１１ｆと、を備えている。
【００２６】
トリガー１２は、図３に示すように、復帰板ばね１２ａと、後述する中空状ピストン１３の直径方向の一対の支軸１３ｃが嵌合する嵌合部１２ｂとを備え、図１、図２に示すように、ボディ１１にヒンジ部１２ｃを介して回動可能に取り付けられている。
【００２７】
中空状ピストン１３は、図３及び図５に示すように、負圧解消ピストン１３ａと、セカンドバルブの弁座１３ｂと、直径方向の一対の支軸１３ｃと、中空部１３ｄと、を備えている。
そして、中空状ピストン１３及び負圧解消ピストン１３ａは、それぞれ、シリンダ室１１ｂ及び副シリンダ室１１ｅにスライド可能に嵌めこまれる。
【００２８】
セカンドバルブ１４は、図１、図２及び図３に示すように、有底筒ケース１４ａと、セカンドバルブの弁体１４ｃと、弁体１４ｃを付勢するばね１４ｄと、当接部１４ｅとを備え、セカンドバルブの弁体１４ｃと、弁体１４ｃを付勢するばね１４ｄと、当接部１４ｅとが、有底筒ケース１４ａの中空部１４ｊ内に組み込まれ、ばね１４ｄにより付勢された弁体１４ｃは、中空状ピストン１３に形成されたセカンドバルブ１４の弁座１３ｂに当接している。
したがって、セカンドバルブ１４は、蓄圧機能を有するものとなっている。
また、これらが組み込まれた有底筒ケース１４ａは、その下流側が中空状ピストン１３の中空部１３ｄ内に取り付けられている。
【００２９】
ところで、ファーストバルブ１５を構成する筒ケース筒１５ａは、図６（Ａ）、図６（Ｂ）、図６（Ｃ）に示すように、筒ケース１５ａの内面に形成された複数の軸方向溝１５ｂと、ファーストバルブの弁体１５ｃと、弁体１５ｃを付勢する複数の板ばね部１５ｄと、を備えている。
そして、筒ケース１５ａは、その下流側が開口し、その上流側がシリンダ室１１ｂ内に取り付けられ、その上流側の内面には複数の板ばね部１５ｄを介して弁体１５ｃが支持されている。
【００３０】
そして、図１、図２に示すように、セカンドバルブの弁体１４ｃと、弁体１４ｃを付勢するばね１４ｄと、当接部１４ｅとが、中空部１４ｊ内に組み込まれた有底筒ケース１４ａは、ファーストバルブ１５を構成する筒ケース筒１５ａ内に、前後方向にスライド可能に挿入されている。
また、有底筒ケース１４ａが挿入された筒ケース１５ａは、その上流側がボディ１１のシリンダ室１１ｂ内に取り付けられている。
【００３１】
図７（Ａ）に示すように、筒ケース１５ａの上流側の端部には、弁体１５ｃを付勢する複数の板ばね部１５ｄによって弁体１５ｃが支持されており、弁体１５ｃと板ばね部１５ｄは図７（Ｂ）に示すように連結されている。
また、弁体１５ｃは、その下流側の面に傾斜面１５ｇが形成されている。
【００３２】
そして、後述するように、弁体１５ｃは、有底筒ケース１４ａの底部１４ｂによる押圧力によって板ばね部１５ｄの付勢力に抗して傾くことが可能であり、また、弁体１５ｃは、有底筒ケース１４ａの底部１４ｂによる押圧力がなくなると、板ばね部１５ｄの付勢力によって、元の位置に復帰することができる。
【００３３】
そして、図７（Ａ）に示すように、有底筒ケース１４ａの底部１４ｂによる押圧力がなくなると、板ばね部１５ｄの付勢力によって、弁体１５ｃは、その上流側の面は板ばね部１５ｄの付勢力によってファーストバルブ１５の弁座１１ｃに当接している。
【００３４】
図８は、本発明の実施形態に係るトリガー式スプレイヤー１０におけるファーストバルブ１５の開閉状態を示すもので、図８（Ａ）は図１の円Ｘ内の拡大図で、トリガー１２を引く前の状態を示し、図８（Ｂ）は図２の円Ｙ内の拡大図で、トリガー１２を最後まで引いた後の状態を示す。
【００３５】
図８（Ａ）に示すように、トリガー１２を最後まで引く前の状態では、弁体１５ｃが板ばね部１５ｄの付勢力によってファーストバルブ１５の弁座１１ｃに当接してファーストバルブ１５は閉ざされている。
【００３６】
図８（Ｂ）に示すように、トリガー１２を引いた後の状態では、有底筒ケース１４ａの底部１４ｂで弁体１５ｃの傾斜面１５ｇが押圧され、弁体１５ｃが板ばね部１５ｄの付勢力に抗して傾くことにより、ファーストバルブ１５の弁座１１ｃとの間に隙間が生じ、ファーストバルブ１５が開いている。
ここで弁体１５ｃの一部を押圧して傾くようにするためには、弁体自体が容易に屈曲するような柔らかいものでは不適であり、有る程度の剛性が必要である。
【００３７】
次に、本発明の実施形態に係るトリガー式スプレイヤー１０のエア抜き動作について、以下に説明する。
【００３８】
エア抜き動作を行う前の初期状態、すなわち、トリガー１２を引く前の状態では、図１に示すように、詳しくは図７（Ａ）、図８（Ａ）に示すように、ファーストバルブ１５の弁体１５ｃが板ばね部１５ｄの付勢力によってファーストバルブ１５の弁座１１ｃに当接してファーストバルブ１５は閉ざされている。
【００３９】
続いて、トリガー１２を最後まで引くと、図２に示すように、詳しくは図８（Ｂ）に示すように、ボディ１１のシリンダ室１１ｂ内を中空状ピストン１３が上流側にスライドする。この際、中空状ピストン１３とともに有底筒ケース１４ａも上流側にスライドする。
そして、有底筒ケース１４ａが上流側にスライドすると、有底筒ケース１４ａの底部１４ｂが、弁体１５ｃの傾斜面１５ｇの高い部分（いわゆる頂点部分）を押圧する。
【００４０】
すなわち、有底筒ケース１４ａの底部１４ｂで弁座１１ｃの外側に対応する弁体１５ｃの一部を押圧する。
これにより弁体１５ｃは板ばね部１５ｄの付勢力に抗して傾き、ファーストバルブの弁座１１ｃとの間に隙間が生じ、ファーストバルブ１５が開く。
したがって、セカンドバルブ１４とファーストバルブ１５との間の空間内のエアが、ファーストバルブ１５を通過し、第２流路１１ｄと第１流路１１ａとを経由して図示しない容器内に排出される。
【００４１】
続いて、この状態で、トリガー１２から指を離すと、エア抜き動作を行う前の初期状態、すなわち、図１に示すように、トリガー１２の復帰板ばね１２ａの付勢力により、トリガー１２は元の位置に復帰するとともに中空状ピストン１３が下流側にスライドする。
この際、中空状ピストン１３とともに有底筒ケース１４ａも下流側にスライドする。
有底筒ケース１４ａが下流側にスライドした状態を、図１、詳しくは図７（Ａ）、図８（Ａ）に示す。
【００４２】
図７（Ａ）、図８（Ａ）に示すように、有底筒ケース１４ａが下流側にスライドすることで、有底筒ケース１４ａの底部１４ｂによる弁体１５ｃに対する押圧力がなくなると、弁体１５ｃは、その上流側の面は板ばね部１５ｄの付勢力によってファーストバルブ１５の弁座１１ｃに当接してファーストバルブ１５は閉ざされる。
【００４３】
本発明の実施形態に係るトリガー式スプレイヤー１０によれば、次のような効果を有する。
液体が流通可能な第１流路１１ａと第１流路１１ａに連通する第２流路１１ｄと第２流路１１ｄに連通する円筒状のシリンダ室１１ｂとを有するボディ１１と、シリンダ室１１ｂ内にスライド可能に組み込まれセカンドバルブ１４の弁座１３ｂと中空部１３ｄを有しトリガー１２の操作により前後にスライドする中空状ピストン１３と、中空状ピストン１３内に組み込まれ下流側に位置するセカンドバルブ１４と、シリンダ室１１ｂ内に組み込まれ上流側に位置するファーストバルブ１５とを備え、セカンドバルブ１４の有底筒ケース１４ａの底部１４ｂでファーストバルブ１５の弁体１５ｃが押圧されることによりファーストバルブ１５が開くトリガー式スプレイヤー１０である。
【００４４】
そして、トリガー１２を引くと、セカンドバルブ１４の有底筒ケース１４ａが中空状ピストン１３とともに上流側にスライドし、有底筒ケース１４ａの底部１４ｂでファーストバルブ１５の弁体１５ｃが押圧されて傾くことによりファーストバルブ１５が開く。
【００４５】
したがって、セカンドバルブ１４とファーストバルブ１５との間の空間内のエアが、ファーストバルブ１５を通過し、第２流路１１ｄと第１流路１１ａとを経由して図示しない容器内に排出される。
【００４６】
また、セカンドバルブ１４とファーストバルブ１５との間の空間内のエアの排出時、すなわちエア抜き時には、セカンドバルブ１４は閉じているので、液体がノズル１６から漏れることはない。
したがって、数回のトリガー１２を最後まで引く動作（すなわち数回の空打ち）で、セカンドバルブ１４とファーストバルブ１５との間の空間内のエア抜きを効率よく行うことができる。
【００４７】
また、本発明の実施形態に係るトリガー式スプレイヤー１０の上述した数回の空打ちを行って、エア抜きが完了すると、続いて、トリガー１２を引く動作を行うことで、通常の液体の吐出あるいは噴霧が行われる。
なお、ファーストバルブ１５が開いて、容器から吸上げられた液体は、筒ケース１５ａの内面に形成された複数の軸方向溝１５ｂを通ってセカンドバルブ１４側に移動する。
【００４８】
次に、本発明の実施形態に係るトリガー式スプレイヤー１０の変形例１〜４について、その作動を模式的に示す図９〜図１２を用いて説明する。
なお、ファーストバルブ１５の筒ケース１５ａや板ばね部１５ｄは、便宜的に、省略した。
【００４９】
図９は、変形例１の作動を模式的に示すもので、図９（Ａ）はトリガー１２を引く前の状態を示し、図９（Ｂ）はトリガー１２を最後まで引いた後の状態を示す。
【００５０】
図９に示す変形例１においては、セカンドバルブ１４の有底筒ケース１４ａの底部１４ｂの上流側の面に傾斜面１４ｆが形成されている。
したがって、トリガー１２を最後まで引くと、有底筒ケース１４ａがボディ１１のシリンダ室１１ｂ内を上流側にスライドし、有底筒ケース１４ａの底部１４ｂの上流側の面の傾斜面１４ｆ（高い部分）が、弁体１５ｃを押圧する。
すなわち有底筒ケース１４ａの底部１４ｂの傾斜面１４ｆの高い部分が、弁座１１ｃの外側に対応する弁体１５ｃの一部を押圧する。
これにより、弁体１５ｃが傾く。
【００５１】
すると、図９（Ｂ）に示すように、ファーストバルブ１５の弁体１５ｃと弁座１１ｃとの間に隙間が生じ、ファーストバルブ１５が開き、エアは、第２流路１１ｄと第１流路１１ａとを経由して図示しない容器内に排出される。
また、トリガー１２から指を離すと、図９（Ａ）に示すように、元の状態、すなわち、図示しないばねの復元力により、弁体１５ｃが弁座１１ｃに当接した状態になり、ファーストバルブ１５が閉じる。
【００５２】
図１０は、変形例２の作動を模式的に示すもので、図１０（Ａ）はトリガー１２を引く前の状態を示し、図１０（Ｂ）はトリガー１２を最後まで引いた後の状態を示す。
【００５３】
図１０に示す変形例２においては、セカンドバルブ１４の有底筒ケース１４ａの底部１４ｂの上流側の面に突起１４ｇが形成されている。
したがって、トリガー１２を最後まで引くと、有底筒ケース１４ａがボディ１１のシリンダ室１１ｂ内を上流側にスライドし、有底筒ケース１４ａの底部１４ｂの上流側の面に形成された突起１４ｇで弁体１５ｃを押圧する。
【００５４】
すなわち、該突起１４ｇで弁座１１ｃの外側に対応する弁体１５ｃの一部を押圧する。
これによりこの弁体１５ｃが傾く。
すると、図１０（Ｂ）に示すように、ファーストバルブ１５の弁体１５ｃと弁座１１ｃとの間に隙間が生じ、ファーストバルブ１５が開き、エアは、第２流路１１ｄと第１流路１１ａとを経由して図示しない容器内に排出される。
【００５５】
また、トリガー１２から指を離すと、図１０（Ａ）に示すように、元の状態、すなわち、図示しないばねの復元力により、弁体１５ｃが弁座１１ｃに当接した状態になり、ファーストバルブ１５が閉じる。
【００５６】
図１１は、変形例３の作動を模式的に示すもので、図１１（Ａ）はトリガー１２を引く前の状態を示し、図１１（Ｂ）はトリガー１２を最後まで引いた後の状態を示す。
【００５７】
図１１に示す変形例３においては、セカンドバルブ１４の有底筒ケース１４ａの底部１４ｂの上流側の面にカム部１４ｈが形成され、ファーストバルブ１５の弁体１５ｃの側部に、起立状に下流側に向けてカム部１５ｆを備えたレバー１５ｅが取り付けられている。
【００５８】
したがって、トリガー１２を最後まで引くと、有底筒ケース１４ａがボディ１１のシリンダ室１１ｂ内を上流側にスライドし、図１１（Ｂ）に示す有底筒ケース１４ａ側のカム部１４ｈとレバー１５ｅ側のカム部１５ｆが当接した状態になる。
この状態では、レバー１５ｅを介してファーストバルブ１５の弁体１５ｃが傾く。
すると、図１１（Ｂ）に示すように、ファーストバルブ１５の弁体１５ｃと弁座１１ｃとの間に隙間が生じ、ファーストバルブ１５が開き、エアは、第２流路１１ｄと第１流路１１ａとを経由して図示しない容器内に排出される。
【００５９】
また、トリガー１２から指を離すと、図１１（Ａ）に示すように、元の状態、すなわち、有底筒ケース１４ａ側のカム部１４ｈとレバー１５ｅ側のカム部１５ｆとの当接状態が解除され、また、図示しないばねの復元力により、弁体１５ｃが弁座１１ｃに当接した状態になり、ファーストバルブ１５が閉じる。
【００６０】
図１２は、変形例４の作動を模式的に示すもので、図１２（Ａ）はトリガー１２を引く前の状態を示し、図１２（Ｂ）はトリガー１２を最後まで引いた後の状態を示す。
【００６１】
図１２に示す変形例４においては、セカンドバルブ１４は、蓄圧機能を有しない直圧式のものであり、ファーストバルブ１５の弁体１５ｃの下流側の面の傾斜面１５ｇが形成されている。
【００６２】
したがって、トリガー１２を最後まで引くと、有底筒ケース１４ａがボディ１１のシリンダ室１１ｂ内を上流側にスライドし、有底筒ケース１４ａの底部１４ｂが、ファーストバルブ１５の弁体１５ｃの下流側の面の傾斜面１５ｇの高い部分を押圧する。
すなわち、有底筒ケース１４ａの底部１４ｂで弁座１１ｃの外側に対応する弁体１５ｃの一部を押圧する。
【００６３】
これにより、この弁体１５ｃは、図示しないばねの付勢力に抗して傾く。
すると、図１２（Ｂ）に示すように、ファーストバルブ１５の弁体１５ｃと弁座１１ｃとの間に隙間が生じ、ファーストバルブ１５が開き、エアは、第２流路１１ｄと第１流路１１ａとを経由して図示しない容器内に排出される。
【００６４】
また、トリガー１２から指を離すと、図１２（Ａ）に示すように、元の状態、すなわち、図示しないばねの復元力により、弁体１５ｃが弁座１１ｃに当接した状態になり、ファーストバルブ１５が閉じる。
上述した、本発明の実施形態に係るトリガー式スプレイヤー１０の変形例１〜４も、本発明の実施形態に係るトリガー式スプレイヤー１０と同様の効果を有するものである。
【００６５】
以上、本発明の好適な実施の形態について説明したが、本発明は、必ずしも、このような実施の形態に限定されるものではない。
例えば、トリガー式スプレイヤー１０の各部品の形は、本発明のファーストバルブの開閉原理が、適用されるものであれば種々のものが採用可能である。
【産業上の利用可能性】
【００６６】
本発明の、トリガー式スプレイヤーは、セカンドバルブとファーストバルブとの間の空間内のエア抜きを容易に行える利点を有するものである。
トリガー式のポンプディスペンサーの他にプッシュ型ポンプディスペンサー、にも利用可能である。
【符号の説明】
【００６７】
１０…トリガー式スプレイヤー
１１…ボディ
１１ａ…第１流路
１１ｂ…シリンダ室
１１ｃ…ファーストバルブの弁座
１１ｄ…第２流路
１１ｅ…副シリンダ室
１１ｆ…空気流通路
１２…トリガー
１２ａ…復帰板ばね
１２ｂ…嵌合部
１２ｃ…ヒンジ部
１３…中空状ピストン
１３ａ…負圧解消ピストン
１３ｂ…セカンドバルブの弁座
１３ｃ…一対の支軸
１３ｄ…中空部
１４…セカンドバルブ
１４ａ…有底筒ケース
１４ｂ…有底筒ケースの底部
１４ｃ…セカンドバルブの弁体
１４ｄ…弁体を付勢するばね
１４ｅ…底部に当接する当接部
１４ｆ…有底筒ケースの底部の傾斜面
１４ｇ…有底筒ケースの底部の突起
１４ｈ…有底筒ケースの底部のカム部
１４ｊ…有底筒ケースの中空部
１５…ファーストバルブ
１５ａ…筒ケース
１５ｂ…筒ケースの内面に形成された複数の軸方向溝
１５ｃ…ファーストバルブの弁体
１５ｄ…弁体を付勢する複数の板ばね部
１５ｅ…ファーストバルブの弁体に取り付けたレバー
１５ｆ…レバーに設けたカム部
１５ｇ…ファーストバルブの弁体の傾斜面
１６…ノズル
１６ａ…ノズルカバー
１７…ボディのカバー
１８…キャップ
１９…吸込み管
【図１】
2014128779.tif 000003
【図２】
2014128779.tif 000004
【図３】
2014128779.tif 000005
【図４】
2014128779.tif 000006
【図５】
2014128779.tif 000007
【図６】
2014128779.tif 000008
【図７】
2014128779.tif 000009
【図８】
2014128779.tif 000010
【図９】
2014128779.tif 000011
【図１０】
2014128779.tif 000012
【図１１】
2014128779.tif 000013
【図１２】
2014128779.tif 000014